(57)【要約】【課題】商品に対して興味を有している買い主以外の者に対して波及効果をもたらすことによって顧客層を拡大することができるようにしたインターネットを使った凧の通信販売方法を提供すること。【解決手段】骨部を組み立てて形成する骨組構造５１と、この骨組構造５１に貼り付ける凧紙５２とを備えた凧５を、インターネット３を使って通信販売により販売するインターネットを使った凧の通信販売方法であって、売り主のサーバシステム１に備えた記憶手段２に、凧５の凧紙５２に印刷する種々の生物の画像データ２１及び解説データ２２並びに凧のデータ２３を蓄積しておき、買い主のコンピュータ４から入力された特定生物の入力信号によって、売り主のサーバシステム１に備えた記憶手段２に蓄積されている当該特定生物の画像データ２１及び解説データ２２並びに凧のデータ２３を買い主のコンピュータ４に送信するようにする。【選択図】  図１
2004318780.tif 000002
【特許請求の範囲】
【請求項１】
骨部材を組み立てて形成する骨組構造と、該骨組構造に貼り付ける凧紙とを備えた凧を、インターネットを使って通信販売により販売するインターネットを使った凧の通信販売方法において、
（ａ）売り主のサーバシステムに備えた記憶手段に、前記凧紙に印刷する種々の生物の画像データ及び解説データを蓄積しておき、
（ｂ）買い主のコンピュータから入力された特定生物の入力信号によって、売り主のサーバシステムに備えた記憶手段に蓄積されている当該特定生物の画像データ及び解説データを買い主のコンピュータに送信する
ことを特徴とするインターネットを使った凧の通信販売方法。
【請求項２】
生物の解説データが、少なくとも、学名、和名、分類及び分布を含むことを特徴とする請求項１記載のインターネットを使った凧の通信販売方法。
【請求項３】
生物の画像データが、飛翔形の蝶であることを特徴とする請求項１又は２記載のインターネットを使った凧の通信販売方法。
【請求項４】
買い主のコンピュータの表示手段上に生物の画像データをサムネイル表示し、該サムネイル表示された生物の画像から特定生物を選択するようにしたことを特徴とする請求項１、２又は３記載のインターネットを使った凧の通信販売方法。
【発明の詳細な説明】
【０００１】
【発明の属する技術分野】
本発明は、骨部材を組み立てて形成する骨組構造と、該骨組構造に貼り付ける凧紙とを備えた凧を、インターネットを使って通信販売により販売するインターネットを使った凧の通信販売方法に関するものである。
【０００２】
【従来の技術】
古来より種々の凧が考案され、用いられているが、本件出願人は、流体力学、特に、航空力学を設計に取り入れることにより、飛翔特性を改善するとともに、デザイン的にも優れた凧を提案した（例えば、特許文献１〜２参照）。
さらに、本件出願人は、これを改良し、量産化が可能な凧も提案している（特願２００１−３８４４２３参照）。
【０００３】
【特許文献１】
特開２０００−９８８７８号公報
【特許文献２】
特開２０００−２６２７７２号公報
【０００４】
【発明が解決しようとする課題】
ところで、凧を購入するに当たっては、買い主が店頭で販売されている既製の凧の中からデザインや機能が気に入ったものを選ぶ方法が一般的であるが、販売店の店頭で販売されている既製の凧の種類は、販売店の展示スペースや在庫コストの制約を受けることからそれほど多くなく、このため、この販売方法による限り、買い主は、希望するデザインや機能を備えた凧を入手し難いという問題があった。
【０００５】
ところで、近年、インターネットの発達に伴い、これを使った通信販売方法が広く普及しているが、この種の通信販売方法の場合、売り主は、買い主がインターネット上で商品及び当該商品に直接関連する価格等の情報を閲覧することができるようにしているが、それ以上の情報を提供するものではなく、このため、商品に対して興味を有している買い主以外の者に対する波及効果が小さく、顧客層を拡大しにくいという問題があった。
【０００６】
また、通信販売方法の場合、インターネット上で閲覧できる商品の内容と実際の商品との間に解離があるという問題もあった。
【０００７】
本発明は、上記従来のインターネットを使った通信販売方法の有する問題点に鑑み、商品に対して興味を有している買い主以外の者に対して波及効果をもたらすことによって顧客層を拡大することができるようにしたインターネットを使った凧の通信販売方法を提供することを第１の目的とする。
【０００８】
また、本発明は、インターネット上で閲覧できる商品の内容と実際の商品との間に解離が生じないようにしたインターネットを使った凧の通信販売方法を提供することを第２の目的とする。
【０００９】
【課題を解決するための手段】
上記第１目的を達成するため、本発明のインターネットを使った凧の通信販売方法は、骨部材を組み立てて形成する骨組構造と、該骨組構造に貼り付ける凧紙とを備えた凧を、インターネットを使って通信販売により販売するインターネットを使った凧の通信販売方法において、
（ａ）売り主のサーバシステムに備えた記憶手段に、前記凧紙に印刷する種々の生物の画像データ及び解説データを蓄積しておき、
（ｂ）買い主のコンピュータから入力された特定生物の入力信号によって、売り主のサーバシステムに備えた記憶手段に蓄積されている当該特定生物の画像データ及び解説データを買い主のコンピュータに送信する
ことを特徴とする。
【００１０】
この場合、生物の解説データとして、少なくとも、学名、和名、分類及び分布を含む生物の解説データを蓄積するようにすることができる。
【００１１】
このインターネットを使った凧の通信販売方法は、売り主のサーバシステムに備えた記憶手段に、前記凧紙に印刷する種々の生物の画像データ及び解説データを蓄積しておき、買い主のコンピュータから入力された特定生物の入力信号によって、売り主のサーバシステムに備えた記憶手段に蓄積されている当該特定生物の画像データ及び解説データを買い主のコンピュータに送信するようにしているので、記憶手段に蓄積した生物の画像データ及び解説データが一種の図鑑の機能を備えることにより、ウェッブサイトが通信販売以外の価値を備えることとなる。
【００１２】
この場合において、生物の画像データとして、飛翔形の蝶の画像データを蓄積するようにすることができる。
【００１３】
これにより、インターネット上で閲覧できる商品の内容と実際の商品との間に解離が生じないようにすることができる。
【００１４】
また、買い主のコンピュータの表示手段上に生物の画像データをサムネイル表示し、該サムネイル表示された生物の画像から特定生物を選択するようにすることができる。
【００１５】
これにより、ウェッブサイトを利用しやすくし、通信販売及び図鑑の用途としての機能を向上することができる。
【００１６】
【発明の実施の形態】
以下、本発明のインターネットを使った凧の通信販売方法の形態を図面に基づいて説明する。
【００１７】
図１に、本発明のインターネットを使った凧の通信販売方法のシステム構成図の一例を示す。
このインターネットを使った凧の通信販売方法は、特にこれ限定されるものではないが、例えば、図２に示すような、骨部材を組み立てて形成する骨組構造５１と、この骨組構造５１に貼り付ける凧紙５２とを備えた凧５を、インターネット３を使って通信販売により販売するインターネットを使った凧の通信販売方法であって、売り主のサーバシステム１に備えた記憶手段２に、凧５の凧紙５２に印刷する種々の生物の画像データ２１及び解説データ２２並びに凧のデータ２３を蓄積しておき、買い主のコンピュータ４から入力された特定生物の入力信号によって、売り主のサーバシステム１に備えた記憶手段２に蓄積されている当該特定生物の画像データ２１及び解説データ２２並びに凧のデータ２３を買い主のコンピュータ４に送信するようにしたものである。
【００１８】
この通信販売される凧５は、特願２００１−３８４４２３で提案したものと同様、骨組構造５１として、凧の対称軸となる中心骨５１ａ、主翼の主要部となる空力中心の近傍に配置された主翼主骨５１ｂ、板骨５１ｃ、主翼補強骨５１ｄを主要構成部材とし、中心骨５１ａと平行にかつ、板骨５１ｃの両端部から中心骨５１ａを挟んで対称に主翼中間縦骨５１ｅを、凧紙５２の後端部側方外縁部分の形状保持のための尾翼骨５１ｆを、凧紙５２の主翼端部の上方外縁部分の形状保持のために主翼細骨５１ｇを、凧紙５２の主翼中間部分を補強する主翼中間補強骨５１ｈをそれぞれ、所定の骨組で、所要の強度を有する和紙、洋紙、樹脂シート等からなる凧紙５２上に接着、固定して構成される。
この場合、板骨５１ｃを除く各骨材には、従来と同様に、グラスファイバ又はカーボンファイバ強化樹脂、ヒノキ、ラミン等の木材、中実、中空又は発泡した樹脂材料、竹ひご、ピアノ線等の金属材料等からなる所要の剛性を有する線材を使用する。
また、板骨５１ｃは、非直線形状で所要の強度を有する発泡樹脂シート部材により構成し、凧紙５２の主翼中央上方部分から中心先端部分を通り、他方の主翼中央上方部分を覆うように取り付けるようにする。この板骨６１ｃを構成する発泡樹脂シート部材は、特に限定されるものではないが、例えば、発泡樹脂シートの裏面に剥離紙を配した両面貼着材（両面テープ）を貼着したものを打ち抜き等により切り抜いて形成することが好ましい。
さらに、凧紙５２の左右の主翼に、一定の上反角をもたせるためのグラスファイバ又はカーボンファイバ強化樹脂等からなる棒状のばね５１ｋの取り付ける。
ばね５１ｋの長さと直径及び強度は、主翼主骨５１ｂに許容限度の風力が加わった場合に大きく変形し、風圧がそれ以上には主翼主骨５１ｂに加わらない程度のもので、例えば、凧の翼面積が、１．２ｍ２以下の場合にあっては、ポリエステルやナイロン等の化繊糸＃１００の強度限度の風力が加わった場合に大きく変形し、風圧がそれ以上凧紙５２に加わらない程度のものを用いることが好ましい。
この棒状のばね５１ｋは、図３に示すように、主骨主骨５１ｂの中央部分近傍位置に、中心骨５１ａを挟んで対称に配設するようにするが、このとき、熱収縮チューブ５１ｉで固定した中空構造のばね受け５１ｊを図３（ｂ）で示すように、内向きに折り曲げ、棒状のばね５１ｋを矢符Ｙの方向から差し込むようにして取り付けるようにする。
【００１９】
そして、凧５は、凧紙５２に、蝶や鳥などの生物を印刷し、骨組構造５１を凧紙５２上に接着、固定する前の半完成品の状態でキットとして、あるいは、骨組構造５１を凧紙５２上に接着、固定した完成品の状態で、通信販売に供することができる。
【００２０】
ところで、このインターネットを使った凧の通信販売方法においては、買い主は、売り主のサーバシステム１に備えた記憶手段２に蓄積されている凧５の凧紙５２に印刷する種々の生物の画像データ２１及び解説データ２２並びに凧のデータ２３を、買い主のコンピュータ４の表示手段上に表示し（その一例を図４に示す。この場合、買い主のコンピュータ４の表示手段上に生物の画像データをサムネイル表示し、該サムネイル表示された生物の画像から特定生物を選択するようにすることにより、ウェッブサイトを利用しやすくすることができる。）、買い主が購入を希望する生物が描かれた凧を選び、買い主のコンピュータ４から注文を入力し（その一例を図５に示す。）、これを受信した売り主は、注文に従って凧５を発送する。
【００２１】
そして、売り主のサーバシステム１に備えた記憶手段２には、凧紙に印刷する種々の生物の画像データ及び解説データが蓄積されているため（特に限定されるものではないが、生物の解説データとして、少なくとも、学名、和名、分類及び分布を含む生物の解説データを蓄積するようにする。）、買い主のコンピュータ４から入力された特定生物の入力信号によって、売り主のサーバシステム１に備えた記憶手段２に蓄積されている当該特定生物の画像データ及び解説データを買い主のコンピュータ４に送信し、その表示手段上に表示するようにする（その一例を図６に示す。）ことにより、記憶手段２に蓄積した生物の画像データ及び解説データが一種の図鑑の機能を備えることとなり、ウェッブサイトが通信販売以外の価値を備えることとなる。
【００２２】
また、生物の画像データ２１として、蝶の場合には、図７（ａ）に示すように、飛翔形の蝶（なお、図鑑等においては、蝶は、図７（ｂ）に示すように展翅形で掲載されている。）の画像データを蓄積するようにすることが望ましい。
これにより、インターネット上で閲覧できる商品の内容と実際の商品との間に解離が生じないようにすることができる。
【００２３】
以上、本発明のインターネットを使った凧の通信販売方法について、その実施例に基づいて説明したが、本発明は上記実施例に記載した構成に限定されるものではなく、その趣旨を逸脱しない範囲において適宜その構成を変更することができるものである。
【００２４】
【発明の効果】
本発明のインターネットを使った凧の通信販売方法によれば、売り主のサーバシステムに備えた記憶手段に、前記凧紙に印刷する種々の生物の画像データ及び解説データを蓄積しておき、買い主のコンピュータから入力された特定生物の入力信号によって、売り主のサーバシステムに備えた記憶手段に蓄積されている当該特定生物の画像データ及び解説データを買い主のコンピュータに送信するようにしているので、記憶手段に蓄積した生物の画像データ及び解説データが一種の図鑑の機能を備えることにより、ウェッブサイトが通信販売以外の価値を備えることとなり、商品である凧に対して興味を有している買い主以外の者に対して波及効果をもたらすことによって顧客層を拡大することができる。
【００２５】
また、生物の画像データとして、飛翔形の蝶の画像データを蓄積するようにすることにより、インターネット上で閲覧できる商品の内容と実際の商品との間に解離が生じないようにすることができる。
【００２６】
また、買い主のコンピュータの表示手段上に生物の画像データをサムネイル表示し、該サムネイル表示された生物の画像から特定生物を選択するようにすることにより、ウェッブサイトを利用しやすくし、通信販売及び図鑑の用途としての機能を向上することができる。
【図面の簡単な説明】
【図１】本発明のインターネットを使った凧の通信販売方法のシステム構成の一例を示す説明図である。
【図２】本発明の凧の一例を示す背面図である。
【図３】同ばね受けの取り付け方法を説明する斜視図である。
【図４】買い主のコンピュータの表示手段上に表示された生物のデータの一例を示す。
【図５】買い主のコンピュータの表示手段上に表示された注文の入力画面の一例を示す。
【図６】買い主のコンピュータの表示手段上に表示された特定生物のデータの一例を示す。
【図７】（ａ）は飛翔形の蝶の一例を、（ｂ）は展翅形の蝶の一例を、それぞれ示す。
【符号の説明】
１    売り主のサーバシステム
２    記憶手段
２１  生物の画像データ
２２  生物の解説データ
２３  凧のデータ
３    インターネット
４    買い主のコンピュータ
５    凧
５１  骨組構造
５２  凧紙
【図１】
2004318780.tif 000003
【図２】
2004318780.tif 000004
【図３】
2004318780.tif 000005
【図４】
2004318780.tif 000006
【図５】
2004318780.tif 000007
【図６】
2004318780.tif 000008
【図７】
2004318780.tif 000009